(57)【要約】【課題】遊技盤の盤面の拡大を確保しつつ取り付けスペースを適正に確保し得るようにした遊技機用施錠装置及びこの施錠装置を備えてなる遊技機を提供する。【解決手段】施錠装置Ｌは、シリンダー錠Ｌ１及び錠機構Ｌ２を備えており、当該施錠装置Ｌは、遊技機の機枠Ｆの右側枠部材４０をベース部材４０として利用し、このベース部材４０にシリンダー錠Ｌ１及び錠機構Ｌ２を組み付けることで、機枠Ｆに設けられている。【選択図】図８
2008237635.tif 000002
【特許請求の範囲】
【請求項１】
遊技機の機枠にその前側から開閉可能に枢支されて前記遊技機本体或いはこの遊技機本体及び前扉を前記機枠に対し閉じたとき施錠形態となり、前記前扉を解錠するとき第１解錠形態となり、前記遊技機本体を解錠するとき第２解錠形態となり、前記前扉或いは前記遊技機本体の解錠後前記施錠形態に戻るように構成された錠手段を備える施錠装置において、
前記錠手段は、前記機枠のうち前記遊技機本体及び前記前扉の各開閉端側枠部材に対する対応枠部材に設けられていることを特徴とする遊技機用施錠装置。
【請求項２】
前記錠手段は、
前記機枠の前記対応枠部材の一部に設けられる錠と、
前記機枠の前記対応枠部材に設けられる錠機構であって、前記遊技機本体或いはこの遊技機本体及び前記前扉を前記機枠に対し閉じたとき前記施錠形態となり、前記前扉を解錠するとき前記錠の第１操作により前記第１解錠形態となり、前記遊技機本体を解錠するとき前記錠の第２操作により前記第２解錠形態となり、前記前扉或いは前記遊技機本体の解錠後前記施錠形態に戻る錠機構とを備えることを特徴とする請求項１に記載の遊技機用施錠装置。
【請求項３】
前記機枠の前記対応枠部材は、長手状側壁部と、この長手状側壁部の長手方向上端前縁部から前記機枠の内側に向け横方向へＬ字状に延出する延出壁部とを備えており、
前記錠は、回動部材を同軸的に内蔵するとともに前記対応枠部材の前記延出壁部を通りその前側から後側に向け前記回動部材を延出させるように前記延出壁部からその前方へ向け突設されるシリンダー錠であり、
前記錠機構は、長手状変位板と、少なくとも１つの第１変位レバーと、少なくとも１つの第２変位レバーと、少なくとも１つの第１スプリングと、少なくとも１つの第２スプリングとを備え、
前記長手状変位板は、その長手方向にて、前記機枠の内側から前記長手状側壁部にその長手方向に沿い変位可能に支持されており、
前記少なくとも１つの第１変位レバーは、前記機枠の内側にて前記長手状側壁部にその長手方向に沿い変位可能に支持される基板と、この基板から前記長手状側壁部の前縁部側へ延出される爪片とを備えており、
前記少なくとも１つの第２変位レバーは、前記機枠の内側にて前記長手状側壁部にその長手方向に沿い変位可能に支持される基板と、この基板から前記長手状側壁部の前縁部側へ延出される爪片とを備えており、
前記少なくとも１つの第１スプリングは、前記少なくとも１つの第１変位レバーを前記長手状変位板の長手方向両端部の一方側へ付勢するように前記少なくとも１つの第１変位レバーの一部と前記長手状側壁部の前縁側部位との間に張設されており、
前記少なくとも１つの第２スプリングは、前記少なくとも１つの第２変位レバーを前記長手状変位板の長手方向両端部の他方側へ付勢するように前記少なくとも１つの第２変位レバーの一部と前記長手状側壁部の他の前縁側部位との間に張設されており、
前記第１解錠形態となるように前記シリンダー錠の前記第１操作に対応する回動操作により前記少なくとも１つの第１スプリングの弾力に抗して前記長手状変位板を変位させて前記少なくとも１つの第１変位レバーを変位させ、また、前記第２解錠形態となるように前記シリンダー錠の前記第２操作に対応する回動操作により前記少なくとも１つの第２スプリングの弾力に抗して前記長手状変位板を変位させて前記少なくとも１つの第２変位レバーを変位させるようにしたことを特徴とする請求項２に記載の遊技機用施錠装置。
【請求項４】
機枠と、この機枠にその前側から開閉可能に枢支される遊技機本体及び前扉とを備える遊技機において、
請求項３に記載の施錠装置を備えて、
前記前扉は、その前記開閉端側枠部材からその長手方向には間隔をおきその後方へは突出するように設けた少なくとも１つの係合レバーを備えており、
前記遊技機本体は、その前記開閉端側枠部材の長手方向に沿い間隔をおいて当該開閉端側枠部材に前記少なくとも１つの第１変位レバーを挿通するように形成される少なくとも１つの貫通部及び前記少なくとも１つの第２変位レバーの前記爪片と係合し得るように形成される少なくとも１つの被係合部を備えており、
前記少なくとも１つの第１変位レバーの前記爪片及び前記前扉の前記開閉端側枠部材の前記少なくとも１つの係合レバーは、互いの押圧の際に前記第１スプリングの弾力に抗して前記少なくとも１つの第１変位レバーを変位させるような形状に形成されており、
前記少なくとも１つの第２変位レバーの前記爪片は、前記遊技機本体の前記少なくとも１つの被係合部と共に、この少なくとも１つの被係合部と係合し得る形状に形成されている遊技機。
【発明の詳細な説明】
【技術分野】
【０００１】
本発明は、パチンコ遊技機、アレンジボール遊技機、雀球遊技機或いは回胴式遊技機等の各種の遊技機に採用される施錠装置及び遊技機に関する。
【背景技術】
【０００２】
従来、各種遊技機のうち、例えば、パチンコ遊技機は、前扉、遊技機本体及び機枠を備えており、前扉及び遊技機本体は、機枠にその前側から開閉可能に枢支されている。このようなパチンコ遊技機において、前扉及び遊技機本体を機枠に施錠するにあたっては、施錠装置が、遊技機本体の開閉端側枠部材にその後側から取り付けられている。
【０００３】
そして、遊技機本体或いはこの遊技機本体及び前扉を機枠に対し閉じたとき、遊技機本体或いは前扉及び遊技機本体は、その開閉端側枠部材にて、施錠装置でもって、機枠の上記開閉端側枠部材に対する対応枠部材に施錠される。また、当該前扉或いは遊技機本体の施錠は、施錠装置の解錠動作でもって、解錠されるようになっている。
【特許文献１】特開２００４−２６１５２０号公報
【発明の開示】
【発明が解決しようとする課題】
【０００４】
ところで、近年、パチンコ遊技機においては、遊技の興趣を高めるために、遊技盤に設けるべき図柄表示装置が大型化する傾向にある。これに伴い、遊技盤の盤面も拡大する傾向にある。
【０００５】
このため、遊技盤本体においては、施錠装置を取り付けるべきスペースが、当然のことながら、狭くなっている。従って、施錠装置を遊技機本体の開閉端側枠部材に取り付けようとしても、この取り付けが困難であるという不具合を招く。
【０００６】
また、遊技機本体の開閉端側枠部材において施錠装置を取り付けるべきスペースを確保しようとすると、遊技盤本体における遊技盤の盤面の拡大が困難になるという不具合を招く。
【０００７】
そこで、本発明は、以上のようなことに対処するため、遊技盤の盤面の拡大を確保しつつ取り付けスペースを適正に確保し得るようにした遊技機用施錠装置及びこの施錠装置を備えてなる遊技機を提供することを目的とする。
【課題を解決するための手段】
【０００８】
上記課題の解決にあたり、本発明に係る遊技機用施錠装置は、請求項１の記載によれば、
遊技機の機枠（Ｆ）にその前側から開閉可能に枢支されて遊技機本体（Ｂ）或いはこの遊技機本体及び前扉（Ｄ）を機枠に対し閉じたとき施錠形態となり、前扉を解錠するとき第１解錠形態となり、遊技機本体を解錠するとき第２解錠形態となり、前扉或いは遊技機本体の解錠後上記施錠形態に戻るように構成された錠手段を備える。
【０００９】
当該施錠装置において、錠手段は、機枠のうち遊技機本体及び前扉の各開閉端側枠部材（１１、２１）に対する対応枠部材（４０）に設けられていることを特徴とする。
【００１０】
これによれば、施錠装置が、その錠手段を設けるベース部材として、機枠の上記対応枠部材自体を利用することで、錠手段と、機枠の上記対応枠部材とでもって、構成されることとなる。
【００１１】
従って、錠手段が、従来技術にて述べたように遊技機本体の開閉端側枠部材自体に設けられることなく、上記ベース部材である機枠の上記対応枠部材自体に、直接、設けられることとなるから、当該錠手段が、その設置スペースを、従来技術にて述べたように遊技機本体の開閉端側枠部材において占めることがない。
【００１２】
従って、施錠装置としての施錠機能及び各解錠機能を確保しつつ、当該施錠装置の占用スペースを、遊技機本体の遊技盤に影響されることなく、適正に確保し得る。さらに、遊技機本体に遊技盤を設けるにあたり、遊技盤が、その盤面にて、その横方向最大寸法部位にて、遊技機本体の開閉端側枠部材の外縁近傍まで十分に拡大するように形成されていても、当該遊技盤は、施錠装置により邪魔されることなく、適正に設けられ得る。
【００１３】
具体的には、例えば、枠体及び遊技盤からなる遊技機本体において、枠体が、環状外周枠の内周縁部から環状内周枠を機枠側へ延出させるように構成されている場合、上述のごとく、錠手段が機枠の上記対応枠部材に設けられていることから、当該錠手段が、その設置スペースを、遊技機本体の環状外周枠の開閉端側枠部材において占めることがない。
【００１４】
従って、遊技盤を遊技機本体の上記環状内周枠内に組み付けるにあたり、環状内周枠が環状外周枠の外周縁部近傍まで拡大され得る。その結果、この拡大に合わせて遊技盤がその盤面にてその横方向最大径にて環状外周枠の外周縁部近傍まで拡大されるように形成されていても、当該遊技盤は、施錠装置に邪魔されることなく、環状内周枠内に組み付けられ得る。
【００１５】
また、本発明は、請求項２の記載によれば、請求項１に記載の遊技機用施錠装置において、
錠手段は、
機枠の上記対応枠部材の一部（４２ｇ）に設けられる錠（Ｌ１、１５０）と、
機枠の上記対応枠部材に設けられる錠機構であって、遊技機本体或いはこの遊技機本体及び前扉を機枠に対し閉じたとき上記施錠形態となり、前扉を解錠するとき錠の第１操作により上記第１解錠形態となり、遊技機本体を解錠するとき錠の第２操作により上記第２解錠形態となり、前扉或いは遊技機本体の解錠後上記施錠形態に戻る錠機構（Ｌ２）とを備えることを特徴とする。
【００１６】
このように、錠手段が、機枠の上記対応枠部材の一部に、直接、設けられた錠及び錠機構でもって構成されることで、請求項１に記載の発明の作用効果がより一層具体的に達成され得る。
【００１７】
また、本発明は、請求項３の記載によれば、請求項２に記載の遊技機用施錠装置において、
機枠の上記対応枠部材は、長手状側壁部（４１）と、この長手状側壁部の長手方向上端前縁部から機枠の内側に向け横方向へＬ字状に延出する延出壁部（４２ｇ）とを備えており、
錠は、回動部材を同軸的に内蔵するとともに上記対応枠部材の上記延出壁部を通りその前側から後側に向け上記回動部材を延出させるように上記延出壁部からその前方へ向け突設されるシリンダー錠であり、
錠機構は、長手状変位板（８０）と、少なくとも１つの第１変位レバー（９０、１２０）と、少なくとも１つの第２変位レバー（１００、１１０、１３０）と、少なくとも１つの第１スプリング（１６０、２００）と、少なくとも１つの第２スプリング（１７０、１９０、２１０）とを備え、
長手状変位板は、その長手方向にて、機枠の内側から上記長手状側壁部にその長手方向に沿い変位可能に支持されており、
上記少なくとも１つの第１変位レバーは、機枠の内側にて上記長手状側壁部にその長手方向に沿い変位可能に支持される基板（９１、１２１）と、この基板から上記長手状側壁部の前縁部側へ延出される爪片（９２、１２２）とを備えており、
上記少なくとも１つの第２変位レバーは、機枠の内側にて上記長手状側壁部にその長手方向に沿い変位可能に支持される基板（１０１、１１１、１３１）と、この基板から上記長手状側壁部の前縁部側へ延出される爪片（１０２、１１２、１３２）とを備えており、
上記少なくとも１つの第１スプリングは、上記少なくとも１つの第１変位レバーを長手状変位板の長手方向両端部の一方側へ付勢するように上記少なくとも１つの第１変位レバーの一部（９１ｃ、１２１ｃ）と上記長手状側壁部の前縁側部位（ｎ、ｒ）との間に張設されており、
上記少なくとも１つの第２スプリングは、上記少なくとも１つの第２変位レバーを長手状変位板の長手方向両端部の他方側へ付勢するように上記少なくとも１つの第２変位レバーの一部（１０１ｃ、１１１ｃ、１３１ｃ）と上記長手状側壁部の他の前縁側部位（ｐ、ｑ、ｓ）との間に張設されており、
上記第１解錠形態となるようにシリンダー錠の上記第１操作に対応する回動操作により上記少なくとも１つの第１スプリングの弾力に抗して長手状変位板を変位させて上記少なくとも１つの第１変位レバーを変位させ、また、上記第２解錠形態となるようにシリンダー錠の上記第２操作に対応する回動操作により上記少なくとも１つの第２スプリングの弾力に抗して長手状変位板を変位させて上記少なくとも１つの第２変位レバーを変位させるようにしたことを特徴とする。
【００１８】
このような構成のもと、前扉が、その上記開閉端側枠部材からその長手方向には間隔をおきその後方へは突出するように設けた少なくとも１つの係合レバー（２２、２３）を備えており、
遊技機本体が、その上記開閉端側枠部材の長手方向に沿い間隔をおいて当該開閉端側枠部材に上記少なくとも１つの第１変位レバーを挿通するように形成される少なくとも１つの貫通部（１２、１３）及び上記少なくとも１つの第２変位レバーの爪片と係合し得るように形成される少なくとも１つの被係合部（１４、１５、１６）を備えていれば、当該施錠装置は、次のようにして前扉及び遊技機本体の施錠或いは解錠が可能となる。
【００１９】
前扉を開くにあたっては、上記第１解錠形態となるようにシリンダー錠の上記第１操作に対応する回動操作により上記少なくとも１つの第１スプリングの弾力に抗して長手状変位板を変位させて上記少なくとも１つの第１変位レバーを変位させることで、上記少なくとも１つの第１変位レバーが、その頭部にて、前扉の上記少なくとも１つの係合レバーから解離する。これにより、前扉を遊技機本体から開くことができる。
【００２０】
また、遊技機本体を開くにあたっては、上記第２解錠形態となるようにシリンダー錠の上記第２操作に対応する回動操作により上記少なくとも１つの第２スプリングの弾力に抗して長手状変位板を変位させて上記少なくとも１つの第２変位レバーを変位させることで、上記少なくとも１つの第２変位レバーが、その爪片にて、遊技機本体の上記少なくとも１つの被係合部から解離する。これにより、遊技機本体を機枠から開くことができる。このとき、上記少なくとも１つの第１変位レバーが遊技機本体の上記開閉端側枠部材の上記少なくとも１つの貫通部から脱出する。
【００２１】
然る後、遊技機本体を再び機枠に対し閉じるにあたっては、当該遊技機本体を機枠に押しつける。このとき、上記少なくとも１つの第１変位レバーが遊技機本体の開閉端側枠部材の各貫通部に挿通されるとともに、上記少なくとも１つの第２変位レバーが、その爪片にて、遊技機本体の開閉端側枠部材の上記少なくとも１つの被係合部と係合される。これにより、遊技機本体は、機枠に閉じられて施錠される。
【００２２】
ついで、前扉を遊技機本体に対し再び閉じるにあたっては、当該前扉を遊技機本体に押しつける。これに伴い、上記少なくとも１つの第１変位レバーの各頭部が、上記少なくとも１つの第１スプリングの弾力に抗して前扉の開閉端側枠部材の上記少なくとも１つの係合レバーにより押動されて、上記少なくとも１つの第１スプリングの弾力のもとに上記少なくとも１つの係合レバーに係合する。これにより、前扉が閉じられて施錠される。
【００２３】
これにより、施錠装置による前扉や遊技機本体の施錠及び解錠を確保しつつ、請求項２に記載の発明の作用効果がより一層向上され得る。なお、シリンダー錠が機枠の上記対応枠部材の上記延出壁部に設けられているので、当該シリンダー錠は、遊技盤の盤面の横方向最大寸法部位よりも上方に位置することとなる。従って、このシリンダー錠が遊技盤の盤面の拡大の邪魔となることもない。
【００２４】
また、本発明に係る遊技機は、請求項４の記載によれば、
機枠（Ｆ）と、この機枠にその前側から開閉可能に枢支される遊技機本体（Ｂ）及び前扉（Ｄ）とを備える。
【００２５】
当該遊技機において、請求項３に記載の施錠装置を備えて、
前扉は、その上記開閉端側枠部材からその長手方向には間隔をおきその後方へは突出するように設けた少なくとも１つの係合レバー（２２、２３）を備えており、
遊技機本体は、その上記開閉端側枠部材の長手方向に沿い間隔をおいて当該開閉端側枠部材に上記少なくとも１つの第１変位レバーを挿通するように形成される少なくとも１つの貫通部（１２、１３）及び上記少なくとも１つの第２変位レバーの爪片と係合し得るように形成される少なくとも１つの被係合部（１４、１５、１６）を備えており、
上記少なくとも１つの第１変位レバーの爪片及び前扉の上記開閉端側枠部材の上記少なくとも１つの係合レバーは、互いの押圧の際に第１スプリングの弾力に抗して上記少なくとも１つの第１変位レバーを変位させるような形状に形成されており、
上記少なくとも１つの第２変位レバーの爪片は、遊技機本体の上記少なくとも１つの被係合部と共に、この少なくとも１つの被係合部と係合し得る形状に形成されている。
【００２６】
これにより、請求項３に記載の発明の作用効果を達成し得る遊技機の提供が可能となる。
【００２７】
なお、請求項４の記載において、第１変位レバーの爪片及び前扉の係合レバーは、互いに係合しあえば、どのような形状であってもよく、例えば、第１変位レバーの爪片がその延出先端部を頭部として機枠の内側に向け屈曲されるとともに第２スプリングの付勢方向に向け前扉の開閉端側枠部材から離れるように傾斜して形成され、一方、前扉の開閉端側枠部材の係合レバーは、当該開閉端側枠部材から後方から下方に向けＬ字状に突出するように形成されていてもよく、また、これらの形状が、第１変位レバーの爪片及び前扉の係合レバーとで入れ代わって形成されていてもよい。
【００２８】
また、上記第２変位レバーの爪片及び遊技機本体の被係合部の各形状は、互いに係合しあえば、どのような形状であってもよく、遊技機本体の被係合部が貫通孔部であり、上記第２変位レバーの爪片が、遊技機本体の上記貫通孔部に挿通係合する頭部を備えていてもよい。また、これに代えて、第２変位レバーの爪片が貫通孔部を備え、遊技機本体の被係合部が、当該第２変位レバーの爪片の貫通孔部に挿通係合する爪片であってもよい。
【００２９】
なお、上記各手段の括弧内の符号は、後述する実施形態に記載の具体的手段との対応関係を示す。
【発明を実施するための最良の形態】
【００３０】
以下、本発明の一実施形態を図面により説明する。図１〜図３は、本発明を適用してなるパチンコ遊技機の一実施形態を示している。このパチンコ遊技機は、パチンコホール内の島に他のパチンコ遊技機と共に立設されるもので、当該パチンコ遊技機は、四角環状の機枠Ｆ、遊技機本体Ｂ及び前扉Ｄを備えている。なお、図１において、紙面に向かって当該紙面の左側及び右側が当該パチンコ遊技機の左側及び右側に対応する。また、当該紙面の前後両側及び上下両側が当該パチンコ遊技機の前後両側及び上下両側に対応する。
【００３１】
遊技機本体Ｂは、図２或いは図３にて示すごとく、枠体１０ａと、この枠体１０ａに組み付けた遊技盤１０ｂとを備えている。枠体１０ａは、図３にて示すごとく、四角環状外周枠１０ｃと、四角環状内周枠１０ｄとを有しており、四角環状内周枠１０ｄは、四角環状外周枠１０ｃの内周縁部から断面Ｌ字状に後方へ延出されている。しかして、枠体１０ａは、四角環状外周枠１０ｃの左側枠部材（図示しない）にて、機枠Ｆの左側枠部材３０（後述する）に前後方向に開閉可能に支持されている。なお、枠体１０ａは、四角環状外周枠１０ｃの右側枠部材１１（図３参照）にて、機枠Ｆの右側枠部材４０（後述する）に対応している。
【００３２】
遊技盤１０ｂは、図３から分かるように、四角環状内周枠１０ｄ内にその後方から収容されて当該四角環状内周枠１０ｄに組み付けられている。
【００３３】
また、前扉Ｄは、前枠２０ａと、この前枠２０ａに組み付けたガラスユニット２０ｂとを備えている。前枠２０ａは、その左側枠部材（図示しない）にて、枠体１０ａの四角環状外周枠１０ｃの左側枠部材（図示しない）を介し、機枠Ｆの左側枠部材３０（後述する）に前後方向に開閉可能に支持されている。
【００３４】
本実施形態では、前枠２０ａは、その右側枠部材２１（図２参照）にて、枠体１０ａの四角環状外周枠１０ｃの右側枠部材１１を介し、機枠Ｆの右側枠部材４０（後述する）に対応している。ここで、前扉Ｄが遊技機本体Ｂをその前側から閉じたとき、所定の間隙が、前枠２０ａの右側枠部材２１と枠体１０ａの四角環状外周枠１０ｃの右側枠部材１１のうち右側枠部材２１に対応する部位との間に付与されるように、枠体１０ａの四角環状外周枠１０ｃの右側枠部材１１の前面には、凹所１１ａ（以下、前側凹所１１ａという）が形成されるようになっている（図２参照）。
【００３５】
次に、本発明の要部を構成する施錠装置Ｌを機枠Ｆとの関連において詳細に説明する。機枠Ｆは、図３、図４及び図５にて示すごとく、左側枠部材３０、右側枠部材４０、上側枠部材５０及び下側枠部材６０でもって、四角環状に構成されている。
【００３６】
左側枠部材３０は、図５にて示すような外形形状を有するように、アルミニウム等の金属材料でもって枠板状に形成されている。上側枠部材５０は、図５にて示すような外形形状を有するように、合成樹脂材料或いは木材でもって枠板状に形成されており、この上側枠部材５０は、その左端部５１にて、左側枠部材３０の上端部３１に連結され、その右端部５２にて、後述のごとく、右側枠部材４０の上端部に連結されている。
【００３７】
下側枠部材６０は、スピーカユニット（以下、スピーカユニット６０ともいう）からなるもので、このスピーカユニット６０は、図４或いは図５から分かるように、ケーシング６０ａ内に左右両側のスピーカ６０ｂ、６０ｃを支持して構成されている。
【００３８】
ケーシング６０ａは、図５にて示すごとく、直方体状ケーシング部材６１と、この直方体状ケーシング部材６１の開口部に組み付けられる蓋６２とでもって、構成されている。本実施形態では、蓋６２は、その左右両側メッシュ部６２ａ、６２ｂにて、左右両側スピーカ６０ｂ、６０ｃの各コーン状開口部に対向している。これにより、左右両側スピーカ６０ｂ、６０ｃは、左右両側メッシュ部６２ａ、６２ｂを通して音声を前方へ出力する。
【００３９】
このように構成したスピーカユニット６０は、ケーシング部材６１の左端部にて、左側枠部材３０の下端部３２に連結され、ケーシング部材６１の右端部にて、後述のごとく、右側枠部材４０の下端部に連結されている。
【００４０】
施錠装置Ｌは、図５、図６、図７或いは図８にて示すごとく、機枠Ｆの右側枠部材４０を長手状ベース部材として利用し、この長手状ベース部材である右側枠部材４０に組み付けられる錠機構Ｌ１と、シリンダー錠Ｌ２とを備えている。以下、右側枠部材４０をベース部材４０ともいう。
【００４１】
ベース部材４０は、長手状右壁４０ａ、上壁４０ｂ及び下壁４０ｃでもって、図８にて示す形状を有するように鉄或いはアルミニウム等の金属により形成されている。
【００４２】
長手状右壁４０ａは、その幅方向中央壁部４１の幅方向両縁部から前壁部４２及び後壁部４３を断面Ｌ字状に屈曲させて、断面略コ字状に形成されている。上壁４０ｂは、長手状右壁４０ａの上端部から左側へＬ字状に屈曲して形成されており、この上壁４０ｂは、さらに、その幅方向中央壁部４４の幅方向両縁部から前壁部４５及び後壁部４６を下方に向けＬ字状に屈曲させてコ字状に形成されている。なお、当該上壁４０ｂにおいて、前壁部４５及び後壁部４６は、各下端部にて、互いに対向するようにＬ字状に屈曲している（図８参照）。
【００４３】
下壁４０ｃは、長手状右壁４０ａの下端部から左側へＬ字状に屈曲して形成されており、この下壁４０ｃは、上壁４０ｂの幅方向中央壁部４４に平行となっている。
【００４４】
しかして、当該ベース部材板４０は、上壁４０ｂにて、上述した右側枠部材４０の上端部として、上側枠部材５０の右端部に連結され、また、下壁４０ｃにて、上述した右側枠部材４０の下端部として、スピーカユニット６０のケーシング部材６１の右端部に連結されている。なお、上壁４０ｂは、幅方向中央壁部４１、前壁部４２及び後壁部４３でもって、上側枠部材５０の右端部をその上面及び前後両面から包囲するようにして、当該上側枠部材５０の右端部に連結されている。
【００４５】
また、長手状右壁４０ａの前壁部４２は、図８にて示すごとく、両Ｌ字状切欠部４２ａ、４２ｄ及び３つの貫通部４２ｂ、４２ｃ、４２ｅを備えている。切欠部４２ａは、開口部ａ及びスリット部ｂを有するように、長手状右壁４０ａの幅方向中央壁部４１の挿通孔部ｈ１（後述する）に対応する位置にて前壁部４２に形成されている。
【００４６】
ここで、開口部ａは、図８にて示すごとく、前壁部４２の板厚方向に開口するとともに当該前壁部４２の前縁部から左方に対し幅広状に開口するように切欠形成されている。また、スリット部ｂは、開口部ａの奥側部位から下方に向け長手状に延在するように前壁部４２に形成されている。
【００４７】
切欠部４２ｄは、開口部ｃ及びスリット部ｄを有するように、長手状右壁４０ａの幅方向中央壁部４１の挿通孔部ｈ４（後述する）に対応する位置にて前壁部４２に形成されている。ここで、開口部ｃは、図８にて示すごとく、前壁部４２の板厚方向に開口するとともに、前壁部４２の前縁部から左方に対し幅広状に開口するように切欠形成されている。また、スリット部ｄは、図８にて示すごとく、開口部ｃの奥側部位から下方に向け長手状に延在するように前壁部４２に形成されている。
【００４８】
貫通部４２ｂは、両スリット部ｅ、ｆを有するように、長手状右壁４０ａの幅方向中央壁部４１の挿通孔部ｈ２（後述する）に対応する位置にて前壁部４２に形成されている。ここで、スリット部ｅは、前壁部４２の上下方向に長手状に形成されている。また、スリット部ｆは、前壁部４２の上下方向には長手状にかつ、左右方向にはスリット部ｆよりも幅狭に形成されている。
【００４９】
貫通部４２ｃは、両スリット部ｇ、ｈを有するように、長手状右壁４０ａの幅方向中央壁部４１の挿通孔部ｈ３（後述する）に対応する位置にて前壁部４２に形成されている。ここで、貫通部４２ｃは、両スリット部ｇ、ｈにて、貫通部４２ｂの両スリット部ｅ、ｆと同様の構成となるように前壁部４２に形成されている。
【００５０】
また、貫通部４２ｅは、両スリット部ｉ、ｊを有するように、長手状右壁４０ａの幅方向中央壁部４１の挿通孔部ｈ５（後述する）に対応する位置にて前壁部４２に形成されている。ここで、貫通部４２ｅは、両スリット部ｉ、ｊにて、貫通部４２ｂの両スリット部ｅ、ｆと同様の構成となるように前壁部４２に形成されている。
【００５１】
錠機構Ｌ１は、図８にて示すごとく、長手状変位板８０と、複数の変位レバー９０〜１３０と、傾動レバー１４０と、略Ｕ字状傾動部材１５０と、複数のコイルスプリング１６０〜２１０とを備えている。
【００５２】
長手状変位板８０は、貫通部８１ａ〜８１ｆを有しており、これら貫通部８１ａ〜８１ｆは、各変位レバー９０〜１３０の貫通部９１ａ、１０１ａ、１１１ａ、１２１ａ、１３１ａに対応するように、長手状変位板８０の幅方向中央にてその上下方向に沿い図８に示すごとく間隔をおいて長楕円形状に形成されている。
【００５３】
また、長手状変位板８０は、５つの長方形状の前側切欠部８２ａ〜８２ｅを有しており、これら各前側切欠部８２ａ〜８２ｅは、図８にて示すごとく、各長楕円形状貫通部８１ａ〜８１ｆに対応するように、長手状変位板８０の前縁部に間隔をおいて形成されている。
【００５４】
ここで、前側切欠部８２ａは、貫通部８１ａよりも上側寄りに位置し、前側切欠部８２ｂは、貫通部８１ｂよりも下側寄りに位置している。また、前側切欠部８２ｃは、貫通部８１ｃよりも下側寄りに位置し、前側切欠部８２ｄは、貫通部８１ｅよりも上側寄りに位置し、前側切欠部８２ｅは、貫通部８１ｆよりも下側寄りに位置している。
【００５５】
また、長手状変位板８０は、４つの長方形状の後側切欠部８３ａ〜８３ｄを有しており、これら各後側切欠部８３ａ〜８３ｄのうち、後側切欠部８３ａは、両貫通部８１ａ、８１ｂの間に対応する位置にて、長手状変位板８０の後縁部に形成されている。後側切欠部８３ｂは、貫通部８１ｃよりも上側に位置するように、長手状変位板８０の後縁部に形成され、後縁部８３ｃは、貫通部８１ｅよりも下側に位置するように、長手状変位板８０の後縁部に形成され、後側切欠部８３ｄは、貫通部８１ｆよりも上側に位置するように、長手状変位板８０の後縁部に形成されている。
【００５６】
また、長手状変位板８０は、図８にて示すごとく、上下両側の係止壁部８４、８５を有している。上側係止壁部８４は、長手状変位板８０の上端後部から左方へＬ字状に突出形成されている。また、下側係止壁部８５は、上側係止壁部８４に平行となるように、長手状変位板８０の上端後部にて左方に向け切り起こし形成されている。
【００５７】
変位レバー９０は、変位レバー１２０と共に前扉Ｄの施錠用レバーとしての機能を有するもので、この変位レバー９０は、図８にて示すごとく、長方形状基板９１及び爪片９２でもって、一体的に構成されている。
【００５８】
長方形状基板９１は、長楕円形状貫通部９１ａを有しており、この貫通部９１ａは、長手状右壁４０ａの幅方向中央壁部４１の挿通孔部ｈ１（図６（ｂ）参照）に対応するように、長方形状基板９１の幅方向中央にて、上下方向に長楕円形状に形成されている。
【００５９】
爪片９２は、その基端側部位９２ａにて、長方形状基板９１の前縁部の上下方向中央部からこの基板９１よりも幾分左側へ湾曲しつつ前方へかつ上方へ傾斜するように一体的に延出されている。この爪片９２は、頭部９２ｂを有しており、この頭部９２ｂは、爪片９２の基端側部位９２ａの延出端部から左方へＬ字状に屈曲するように形成されている。
【００６０】
変位レバー１２０は、図８にて示すごとく、長方形状基板１２１及び爪片１２２でもって一体的に構成されている。長方形状基板１２１は、長楕円形状貫通部１２１ａを有しており、この貫通部１２１ａは、長手状右壁４０ａの幅方向中央壁部４１の挿通孔部ｈ４（図６（ｂ）参照）に対応するように、長方形状基板１２１の幅方向中央にて、上下方向に長楕円形状に形成されている。
【００６１】
爪片１２２は、その基端側部位１２２ａにて、長方形状基板１２１の前縁部の上下方向中央部からこの基板１２１よりも幾分左側へ湾曲しつつ前方へかつ上方へ傾斜するように一体的に延出されている。この爪片１２２は、頭部１２２ｂを有しており、この頭部１２２ｂは、爪片１２２の基端側部位１２２ａの延出端部から左方へＬ字状に屈曲するように形成されている。
【００６２】
変位レバー１００は、各変位レバー１１０、１３０と共に、遊技機本体Ｂの枠体１０ａの施錠用レバーとしての機能を有しており、この変位レバー１００は、長方形状基板１０１及び爪片１０２でもって一体的に構成されている。
【００６３】
長方形状基板１０１は、長楕円形状貫通部１０１ａを有しており、この貫通部１０１ａは、長手状右壁４０ａの幅方向中央壁部４１の挿通孔部ｈ２（図６（ｂ）参照）に対応するように、長方形状基板１０１の幅方向中央にて、上下方向に長楕円形状に形成されている。
【００６４】
爪片１０２は、その基端側部位１０２ａにて、長方形状基板１０１の前縁部の上下方向中央部からこの基板１０１よりも幾分左側へ湾曲しつつ前方へ一体的に延出されている。この爪片１０２は、頭部１０２ａを有しており、この頭部１０２ａは、爪片１０２の基端側部位１０２ａの延出端部から左方へＬ字状に屈曲すると共に下方へ幅広となるように形成されている。
【００６５】
変位レバー１１０は、長方形状基板１１１及び爪片１１２でもって一体的に構成されている。長方形状基板１１１は、長楕円形状貫通部１１１ａを有しており、この貫通部１１１ａは、長手状右壁４０ａの幅方向中央壁部４１の挿通孔部ｈ３（図６（ｂ）参照）に対応するように、長方形状基板１１１の幅方向中央にて、上下方向に長楕円形状に形成されている。
【００６６】
爪片１１２は、その基端側部位１１２ａにて、長方形状基板１１１の前縁部の上下方向中央部からこの基板１１１よりも幾分左側へ湾曲しつつ前方へ一体的に延出されている。当該爪片１１２は、頭部１１２ｂを有しており、この頭部１１２ｂは、爪片１１２の基端側部位１１２ａの延出端部から左方へＬ字状に屈曲すると共に下方へ幅広となるように形成されている。
【００６７】
変位レバー１３０は、長方形状基板１３１及び爪片１３２でもって一体的に構成されている。長方形状基板１３１は、長楕円形状貫通部１３１ａを有しており、この貫通部１３１ａは、長手状右壁４０ａの幅方向中央壁部４１の挿通孔部ｈ５（図６（ｂ）参照）に対応するように、長方形状基板１３１の幅方向中央にて、上下方向に長楕円形状に形成されている。
【００６８】
爪片１３２は、その基端側部位１３２ａにて、長方形状基板１３１の前縁部の上下方向中央部からこの基板１３１よりも幾分左側へ湾曲しつつ前方へ一体的に延出されている。当該爪片１３２は、頭部１３２ｂを有しており、この頭部１３２ｂは、爪片１３２の基端側部位１３２ａの延出端部から左方へＬ字状に屈曲すると共に下方へ幅広となるように形成されている。
【００６９】
しかして、このように構成した長手状変位板８０は、上述のように構成した各変位レバー９０〜１３０を介し、各リベットｂ１〜ｂ５を、ベース部材４０の長手状右壁４０ａの幅方向中央壁部４１に形成した各挿通孔部ｈ１〜ｈ５（図６参照）に締結することで、各変位レバー９０〜１３０と共に組み付けられる。
【００７０】
変位レバー９０においては、基板９１が、爪片９２の頭部９２ｂにて長手状右壁４０ａの前壁部４２の切欠部４２ａの開口部ａ内に左方から嵌装されるとともに、基端側部位９１ａにて切欠部４２ａの両開口部ａ、ｂ内に亘り嵌装されるように、長手状右壁４０ａの幅方向中央壁部４１に当接される。このとき、基板９１は、その下縁後部に左側へ切り起こし形成した突起部９１ｂにて、長手状変位板８０の後側切欠部８３ａ内にその右側から挿入される。また、基板９１は、その前側突起９１ｃにて、変位板８０の前側切欠部８２ａ内に位置する。なお、基板９１の前側突起９１ｃは、基板９１の前縁部に爪片９２の基端側部位の直上にて左側へ切り起こし形成されている。
【００７１】
これにより、爪片９２は、その頭部９２ｂにて、枠体１０ａの四角環状外周枠１０ｃの右側枠部材１１の上部に形成した貫通部１２に対向し得るように位置する。本実施形態では、上述した貫通部１２は、図２にて示すごとく、四角孔部１２ａ及びスリット部１２ｂを有しており、スリット部１２ｂは、四角孔部１２ａの右縁下部から下方に向けスリット状に延在している。
【００７２】
これにより、爪片９２は、頭部９２ｂから、枠体１０ａの四角環状外周枠１０ｃの右側枠部材１１の上部に形成した貫通部１２を通り前方へ延出して、前枠２０ａの右側枠部材２１の後面上部から後方へ突出する上側係合レバー２２と枠体１０ａの四角環状外周枠１０ｃの右側枠部材１１の前側凹所１１ａ内にて係合し得るようになっている。
【００７３】
本実施形態では、上述した貫通部１２は、四角孔部１２ａ及びスリット部１２ｂを有しており、スリット部１２ｂは、四角孔部１２ａの右縁下部から下方に向けスリット状に延在している。これにより、爪片９２は、頭部９２ｂを四角孔部１２ａに挿通しながらこの四角孔部１２ａ及びスリット部１２ｂを通るようになっている。
【００７４】
また、上述した上側係合レバー２２は、頭部２２ａを有しており、この頭部２２ａは、上側係合レバー２２の基端部から下方に向けＬ字状に屈曲されている。これにより、上側係合レバー２２は、その頭部２２ａにて、右側枠部材１１の前側凹所１１ａ内において、コイルスプリング１６０（後述する）の弾力に抗して爪片９２の頭部９２ｂをその傾斜面に沿い下方へ押し下げながら当該頭部９２ｂに係脱可能に係合し得るようになっている。
【００７５】
変位レバー１２０においては、基板１２１が、爪片１２２の頭部１２２ｂにて長手状右壁４０ａの前壁部４２の切欠部４２ｄの開口部ｃ内に左方から嵌装されるとともに、基端側部位１２１ａにて切欠部４２ｄの両開口部ｃ、ｄ内に亘り嵌装されるように、長手状右壁４０ａの幅方向中央壁部４１に当接される。このとき、基板１２１は、その下縁後部にて左側へ切り起こし形成した突起１２１ｂにて、長手状変位板８０の後側切欠部８３ｃ内にその右側から挿入される。また、基板１２１は、その前側突起１２１ｃにて、変位板８０の前側切欠部８２ｄ内に位置する。なお、基板１２１の前側突起１２１ｃは、基板１２１の前縁部に爪片１２２の基端側部位の直上にて左側へ切り起こし形成されている。
【００７６】
これにより、爪片１２２は、その頭部１２２ｂにて、枠体１０ａの四角環状外周枠１０ｃの右側枠部材１１の下部に形成した貫通部１３に対向し得るように位置している。
【００７７】
本実施形態では、上述した貫通部１３は、図２にて示すごとく、四角孔部１３ａ及びスリット部１３ｂを有しており、スリット部１３ｂは、四角孔部１３ａの右縁下部から下方に向けスリット状に延在している。
【００７８】
これにより、爪片１２２は、頭部１２２ｂから、枠体１０ａの四角環状外周枠１０ｃの右側枠部材１１の下部に形成した貫通部１３を通り前方へ延出して、前枠２０ａの右側枠部材２１の後面下部から後方へ突出する上側係合レバー２３と枠体１０ａの四角環状外周枠１０ｃの右側枠部材１１の前側凹所１１ａ内にて係合し得るようになっている。
【００７９】
本実施形態では、上述した貫通部１３は、四角孔部１３ａ及びスリット部１３ｂを有しており、スリット部１３ｂは、四角孔部１３ａの右縁下部から下方に向けスリット状に延在している。これにより、爪片１２２は、頭部１２２ｂを四角孔部１３ａに挿通しながらこの四角孔部１３ａ及スリット部１３ｂを通るようになっている。
【００８０】
また、上述した上側係合レバー２３は、頭部２３ａを有しており、この頭部２３ａは、上側係合レバー２３の基端部から下方に向けＬ字状に屈曲されている。これにより、上側係合レバー２３は、その頭部２３ａにて、右側枠部材１１の前側凹所１１ａ内において、コイルスプリング２００（後述する）の弾力に抗して爪片１２２の頭部１２２ｂをその傾斜面に沿い下方へ押し下げながら当該頭部１２２ｂに係脱可能に係合し得るようになっている。
【００８１】
また、変位レバー１００においては、基板１０１が、爪片１０２の頭部１０２ｂにて、前壁部４２の貫通部４２ｂのスリット部ｅにその後方から挿通されるとともに、基端側部位１０２ａにて、両スリット部ｅ、ｆに亘り嵌装されるようにして、長手状右壁４０ａの幅方向中央壁部４１に当接される。このとき、基板１０１は、その上縁後部に左側へ切り起こし形成した突起１０１ｂにて、長手状変位板８０の後側切欠部８３ａ内にその右側から挿入される。また、基板１０１は、その前側突起１０１ｃにて、変位板８０の前側切欠部８２ｂ内に位置する。なお、基板１０１の前側突起１０１ｃは、基板１０１の前縁部に爪片１０２の基端側部位の直下にて左側へ切り起こし形成されている。
【００８２】
これにより、爪片１０２は、頭部１０２ａにて、枠体１０ａの四角環状外周枠１０ｃの右側枠部材１１に形成した貫通部１４に対向し得るように位置する。
【００８３】
ここで、上述した貫通部１４は、四角孔部１４ａ及びスリット部１４ｂを有しており、スリット部１４ｂは、四角孔部１４ａの右縁下部から下方に向けスリット状に延在している。これにより、爪片１０２は、その基端側部位にて、頭部１０２ｂを四角孔部１４ａに挿入しながこの四角孔部１４ａ及びスリット部１４ｂ内に挿入され得るようになっている。
【００８４】
変位レバー１１０においては、基板１１１が、爪片１１２の頭部１１２ｂにて、前壁部４２の貫通部４２ｃの四角孔部ｃにその後方から挿通されるとともに、基端側部位１１２ａにて、両スリット部ｃ、ｄに亘り嵌装されるようにして、長手状右壁４０ａの幅方向中央壁部４１に当接されている。このとき、基板１１１は、その上縁後部に左側へ切り起こし形成した突起１１１ｂにて、長手状変位板８０の後側切欠部８３ｂ内にその右側から挿入される。また、基板１１１は、その前側突起１１１ｃにて、変位板８０の前側切欠部８２ｃ内に位置する。なお、基板１０１の前側突起１１１ｃは、基板１１１の前縁部に爪片１１２の基端側部位の直下にて左側へ切り起こし形成されている。
【００８５】
これにより、爪片１１２は、頭部１１２ａにて、枠体１０ａの四角環状外周枠１０ｃの右側枠部材１１に形成した貫通部１５に対向し得るように位置する。
【００８６】
ここで、上述した貫通部１５は、四角孔部１５ａ及びスリット部１５ｂを有しており、スリット部１５ｂは、四角孔部１５ａの右縁下部から下方に向けスリット状に延在している。これにより、爪片１１２は、その基端側部位にて、頭部１１２ｂを四角孔部１５ａに挿入しながらこの四角孔部１５ａ及びスリット部１５ｂ内に挿入され得るようになっている。
【００８７】
また、変位レバー１３０においては、基板１３１が、爪片１３２の頭部１３２ｂにて、前壁部４２の貫通部４２ｄの四角孔部ｉにその後方から挿通されるとともに、基端側部位１３２ａにて、両スリット部ｉ、ｊに亘り嵌装されるようにして、長手状右壁４０ａの幅方向中央壁部４１に当接される。このとき、基板１３１は、その上縁後部に左側へ切り起こし形成した突起１３１ｂにて、長手状変位板８０の後側切欠部８３ｄ内にその右側から挿入される。また、基板１３１は、その前側突起１３１ｃにて、変位板８０の前側切欠部８２ｅ内に位置する。なお、基板１３１の前側突起１３１ｃは、基板１３１の前縁部に爪片１３２の基端側部位の直下にて左側へ切り起こし形成されている。
【００８８】
これにより、爪片１３２は、頭部１３２ａにて、枠体１０ａの四角環状外周枠１０ｃの右側枠部材１１に形成した貫通部１６に対向し得るように位置する。
【００８９】
ここで、上述した貫通部１６は、四角孔部１６ａ及びスリット部１６ｂを有しており、スリット部１６ｂは、四角孔部１６ａの右縁下部から下方に向けスリット状に延在している。これにより、爪片１３２は、その基端側部位にて、頭部１３２ｂを四角孔部１６ａに挿入しながらこの四角孔部１６ａ及びスリット部１６ｂ内に挿入され得るようになっている。
【００９０】
然る後、長手状変位板８０が、各貫通部８１ａ、８１ｂ、８１ｃ、８１ｅ、８１ｆにて、各変位レバー９０〜１３０の貫通部９１ａ、１０１ａ、１１１ａ、１２１ａ、１３１ａに対応するように、各変位レバー９０〜１３０を介し、長手状右壁４０ａの幅方向中央壁部４１に当接される。
【００９１】
ついで、各リベットｂ１〜ｂ５が、長手状変位板８０の各貫通部８１ａ、８１ｂ、８１ｃ、８１ｅ、８１ｆ及び各変位レバー９０〜１３０の貫通部９１ａ、１０１ａ、１１１ａ、１２１ａ、１３１ａを通して長手状右壁４０ａの幅方向中央壁部４１の各挿通孔部ｈ１〜ｈ５に締結される。この締結は、長手状変位板８０及び各変位レバー９０〜１３０を長手状右壁４０ａの幅方向中央壁部４１に沿い上下方向へ変位可能に維持するようになされる。
【００９２】
然る後、各コイルスプリング１６０、１７０、１９０〜２１０が、次のようにして張設される。まず、コイルスプリング１６０が、その両端部を前壁部４２の突起ｎ及び変位レバー９０の基板９１の前側突起９１ｃに係止するようにして張設される。
【００９３】
これにより、変位レバー９０が、その突起９１ｂにて、長手状変位板８０の後側切欠部８３ａの上側内端部に係止するようにコイルスプリング１６０により付勢される。ここで、前壁部４２の突起ｎは、長手状変位板８０の前壁部４２の左縁部にＬ字状切欠部４２ａの上側にて後側へ切り起こし形成されている。
【００９４】
ついで、コイルスプリング１７０が、その両端部を長手状変位板８０の前壁部４２の突起ｐ及び変位レバー１００の基板１０１の前側突起１０１ｃに係止するようにして張設される。これにより、変位レバー１００は、その突起１１１ｂにて、長手状変位板８０の後側切欠部８３ａの下側内端部に係止するようにコイルスプリング１７０により付勢される。ここで、前壁部４２の突起ｐは、長手状変位板８０の前壁部４２の左縁部に貫通部４２ｆの上側にて後側へ切り起こし形成されている。
【００９５】
また、コイルスプリング１９０が、その両端部を長手状変位板８０の前壁部４２の突起ｑ及び変位レバー１１０の基板１１１の前側突起１１１ｃに係止するようにして張設される。これにより、コイルスプリング１９０は、その突起１１１ｃにて、長手状変位板８０の後側切欠部８３ｂの下側内端部に係止するようにコイルスプリング１９０により付勢される。ここで、前壁部４２の突起ｑは、長手状変位板８０の前壁部４２の左縁部に貫通部４２ｃの下側にて後側へ切り起こし形成されている。
【００９６】
コイルスプリング２００が、その両端部を長手状変位板８０の前壁部４２の突起ｒ及び変位レバー１２０の基板１２１の前側突起１２１ｃに係止するようにして張設される。これにより、変位レバー１２０が、その突起１２１ｃにて、長手状変位板８０の後側切欠部８３ａの下側内端部に係止するようにコイルスプリング２００により付勢される。ここで、前壁部４２の突起ｒは、長手状変位板８０の前壁部４２の左縁部にＬ字状切欠部４２ｄの上側にて後側へ切り起こし形成されている。
【００９７】
また、コイルスプリング２１０が、その両端部を長手状変位板８０の前壁部４２の突起ｓ及び変位レバー１３０の基板１３１の前側突起１３１ｃに係止するようにして張設される。これにより、変位レバー１３０は、その突起１３１ｃにて、長手状変位板８０の後側切欠部８３ｄの下側内端部に係止するようにコイルスプリング２１０により付勢される。ここで、前壁部４２の突起ｓは、長手状変位板８０の前壁部４２の左縁部に貫通部４２ｅの下側にて後側へ切り起こし形成されている。
【００９８】
傾動レバー１４０は、長手状変位板８０にその左側から組み付けられるもので、この傾動レバー１４０は、基板１４１及び爪片１４２を有している。基板１４１は、突起１４１ｂを有しており、この突起１４１ｂは、基板１４１の前側下端部から左側へ屈曲形成されている。また、爪片１４２は、基板１４１の基部から上方前側へ傾斜状に延出先端部にて、頭部１４２ａとして、左方にＬ字状に屈曲して形成されている。
【００９９】
このように構成した傾動レバー１４０は、コイルスプリング１８０と共に、次のようにして長手状変位板８０にその左側から組み付けられる。
【０１００】
基板１４１は、長手状変位板８０にその左側から傾動可能に当接支持される。具体的には、リベットｂ６が、当該基板１４１の基部に形成した支持孔部１４１ａを通し、基板１４１を傾動可能に維持するように、長手状変位板８０のネジ孔部８６（両貫通部８１ｂ、８１ｃの間に形成されている）に締結されることで、上述した基板１４１の長手状変位板８０に対する当接支持がなされる。これに伴い、当該傾動レバー１４０は、爪片１４２にて、前壁部４２に形成した貫通部４２ｆに挿通され得るようになっている。
【０１０１】
ここで、貫通部４２ｆは、四角孔部ｍ及びスリット部ｋを有しており、スリット部ｋは、四角孔部ｍの右縁下部から下方に向けスリット状に延在している。これにより、傾動レバー１４０は、頭部１４２ａを四角孔部ｍに挿入しながらこの四角孔部ｍ及びスリット部ｋ内に挿入され得るようになっている。
【０１０２】
また、コイルスプリング１８０が、その両端部を基板１４１の突起１４１ｂ及び長手状変位板８０の突起８７に係止するようにして傾斜状に張設される（図７参照）。これにより、傾動レバー１４０は、リベットｂ６を中心として、図７にて図示時計方向へ傾動するように付勢される。これにより、傾動レバー１４０は、爪片１４２の先端部にて、前壁部４２の貫通部４２ｆから前方へ突出するようにして当該貫通部４２ｆに係合する。このことは、傾動レバー１４０の貫通部４２ｆとの係合のもとに、コイルスプリング１８０が、その付勢方向に変位レバー８０を変位させることを意味する。
【０１０３】
シリンダー錠Ｌ２は、ベース部材４０を介し傾動部材１５０と組み付けられているもので、このシリンダー錠Ｌ２は、図３〜図８にて示すごとく、板状フランジ部２２０ａの中央部からシリンダー部２２０ｂを延出して構成されている。ここで、シリンダー部２２０ｂは、その筒状周壁２３１内に回動部材を同軸的に内蔵してなるもので、この回動部材は、その先端部にて、筒状周壁２３１の先端部から突出されている。なお、シリンダー錠Ｌ２は、シリンダー部２２０ｂ内へのキーの挿入回動操作により、上記回動部材を回動させるようになっている。
【０１０４】
このように構成したシリンダー錠Ｌ２は、次のようにして、ベース部材４０、傾動部材１５０及び長手状変位板８０に組み付けられる。
【０１０５】
即ち、板状フランジ部２２０ａが、ベース部材４０の長手状右壁４０ａの前壁部４２の幅広状上端部４２ｇに、シリンダー部２２０ｂを前方へ突出させるように着座して締着される。このとき、上記回動部材の先端部が、前壁部４２の幅広状上端部４２ｇの貫通部を通りその後方に突出する。
【０１０６】
ついで、傾動部材１５０が、その右側腕部１５１にて、上記回動部材の先端部に連結支持される。具体的には、上記回動部材の先端部が傾動部材１５０の右側腕部１５１に形成した連結孔部１５１ａに嵌装支持される。これにより、傾動部材１５０は、その左側腕部１５２にて、長手状変位板８０の上下両側係止壁８４、８５の間に介装される。なお、遊技機本体Ｂ及び前扉Ｄを機枠Ｆに向けて閉じたとき、シリンダー錠Ｌ２は、シリンダー部２３０にて、枠体１０ａの四角環状外周枠１０ｃの右側枠部材１１の上部に形成した貫通部及び前枠２０ａの右側枠部材２１の上部に形成した貫通部を通り前方へ突出するようになっている。なお、傾動部材１５０は、シリンダー錠Ｌ２の回動部材とは別体であるものの、当該シリンダー錠Ｌ２の一構成部材であってもよい。
【０１０７】
以上のように構成した本実施形態において、当該パチンコ遊技機が、図１にて示すごとく、遊技機本体Ｂ及び前扉Ｄを機枠Ｆに対し共に閉じた状態にあるものとする。このとき、施錠装置Ｌは、図７にて示す施錠状態にある。
【０１０８】
このような状態において、前扉Ｄを開くにあたっては、キーをシリンダー錠Ｌ２の回動部材に挿入して図１にて図示時計方向に回動操作（以下、時計方向回動操作ともいう）する。すると、傾動部材１５０がシリンダー錠Ｌ２の回動部材により上記時計方向回動操作の方向と同一方向に傾動されて、長手状変位板８０をその係止壁部８５（図８参照）を介しベース部材４０の下方に向けて長手状右壁４０ａに沿い各コイルスプリング１６０、２００の弾力に抗して変位させる。
【０１０９】
これに伴い、各変位レバー９０、１２０が、各リベットｂ１、ｂ４の各貫通部８１ａ、８１ｅの内周面上端部との係合により、下方へ変位する。このため、各変位レバー９０、１２０の頭部９２ｂ、１２２ｂが、前扉Ｄの右側枠部材２１の各係合レバー２２、２３の頭部２２ａ、２３ａから下方へ解離する。このことは、施錠装置Ｌが、前扉Ｄに対する解錠形態となったことを意味する。これにより、前扉Ｄを遊技機本体Ｂから開くことができる。
【０１１０】
次に、遊技機本体Ｂを開くにあたっては、キーをシリンダー錠Ｌ２の回動部材に挿入して図１にて図示反時計方向に回動操作（以下、反時計方向回動操作ともいう）する。すると、傾動部材１５０がシリンダー錠Ｌ２の回動部材により上記反時計方向回動操作の方向と同一方向に傾動されて、長手状変位板８０をその係止壁部８４（図８参照）を介しベース部材４０の上方に向けて長手状右壁４０ａに沿い各コイルスプリング１７０、１９０、２１０の弾力に抗して変位させる。
【０１１１】
これに伴い、各変位レバー１００、１１０、１３０が、各リベットｂ２、ｂ３、ｂ５の各貫通部８１ｃ、８１ｃ、８１ｆの内周面下端部との係合により、上方へ変位する。このため、各変位レバー１００、１１０、１３０の頭部１０２ｂ、１１２ｂ、１３２ｂが、遊技機本体Ｂの右側枠部材１１の各貫通部１４、１５、１６の前面下部から上方へ解離する。このことは、施錠装置Ｌが、遊技機本体Ｂに対する解錠形態となったことを意味する。これにより、遊技機本体Ｂを機枠Ｆから開くことができる。このとき、各変位レバー９０、１２０が遊技機本体Ｂの右側枠部材１１の各貫通部１２、１３から脱出するとともに、各変位レバー１００、１１０、１３０が、右側枠部材１１の各貫通部１４、１５、１６から脱出する。また、傾動レバー１４０の爪片１４２が、その先端部にて、コイルスプリング１８０により付勢されてベース部材４０の前壁部４２の貫通部４２ｆから前方へ突出している。
【０１１２】
然る後、遊技機本体Ｂを再び機枠Ｆに対し閉じるにあたっては、当該遊技機本体Ｂを機枠Ｆに押しつける。このとき、上述のごとく、傾動レバー１４０の爪片１４２が、その先端部にて、ベース部材４０の前壁部４２の貫通部４２ｆから前方へ突出しているので、当該遊技機本体Ｂは、その右側枠部材１１により傾動レバー１４０の爪片１４２をコイルスプリング１８０の弾力に抗して前壁部４２の貫通部４２ｆ内に押し込むこととなる。このことは、当該遊技機本体Ｂの機枠Ｆに対する押しつけ力が緩和されることを意味する。従って、当該遊技機本体Ｂは、機枠Ｆに向けて何ら衝撃を伴うことなく静かに閉じられ得る。
【０１１３】
また、上述のように傾動レバー１４０がその爪片１４２にて前壁部４２の貫通部４２ｆ内に押し込まれることで、当該傾動レバー１４０の爪片１４２がと係合し、コイルスプリング１８０が、その付勢方向に変位レバー８０を変位させる。
【０１１４】
これに伴い、各変位レバー９０、１２０が遊技機本体Ｂの右側枠部材１１の各貫通部１２、１３に挿通されるとともに、各変位レバー１００、１１０、１３０が、右側枠部材１１の各貫通部１４、１５、１６に挿通されて、その各頭部１０２ｂ、１１２ｂ、１３２ｂにて、これら各貫通部１４、１５、１６の前面下部に係止する。これにより、遊技機本体Ｂは、機枠Ｆに閉じられて施錠される。このことは、当該施錠装置が遊技機本体Ｂを施錠形態におくことを意味する。
【０１１５】
ついで、前扉Ｄを遊技機本体Ｂに対し再び閉じるにあたっては、当該前扉Ｄを遊技機本体Ｂに押しつける。これに伴い、各変位レバー９０、１２０の各頭部９２ｂ、１２２ｂが、各コイルスプリング１６０、２００の弾力に抗して前扉Ｄの右側枠部材２０の各係合レバー２２、２３によりその各頭部２２ａ、２３ａにて押し下げられ、然る後各コイルスプリング１６０、２００の弾力のもとに当該各頭部２２ａ、２３ａに係合する。このことは、当該施錠装置Ｌが、前扉Ｄを施錠形態におくことを意味する。
【０１１６】
以上説明したように、錠機構Ｌ２及びシリンダー錠Ｌ１が、機枠Ｆにその右側枠体４０自体をベース部材４０として利用して、当該ベース部材４０に直接に設けられている。このため、錠機構Ｌ２及びシリンダー錠Ｌ１、ひいては、施錠装置Ｌが、従来技術にて述べたように遊技機本体の右側枠部材において取り付けスペースを占めることがない。従って、遊技機本体の右側枠部材の構成が簡素化され、可能な限り遊技盤の盤面の拡大のためのスペースが、定められた仕様寸法の範囲内で十分に確保され得る。
【０１１７】
その結果、施錠装置Ｌとしての上述した施錠機能及び各解錠機能を確保しつつ、施錠装置Ｌの占用スペースを、遊技機本体Ｂの遊技盤に影響されることなく、適正に確保し得るとともに、遊技機本体Ｂに遊技盤を設けるにあたり、施錠装置Ｌにより邪魔されることなく、当該遊技盤の盤面が十分に拡大され得る。
【０１１８】
具体的には、錠機構Ｌ２及びシリンダー錠Ｌ１が、上述のごとく、機枠Ｆの右側枠部材４０に設けられていることから、当該錠機構Ｌ２及びシリンダー錠Ｌ１が、その設置スペースを、遊技機本体Ｂの環状外周枠１０ｃの右側枠部材１１において占めることがない。従って、遊技盤１０ｂを遊技機本体Ｂの環状内周枠１０ｄ内に組み付けるにあたり、環状内周枠１０ｄを環状外周枠１０ｃの外周縁部近傍まで拡大し得るので、この拡大に合わせて遊技盤１０ｂの盤面がその左右方向最大径にて、環状外周枠１０ｃの外周縁部近傍まで拡大され得る。
【０１１９】
ここで、上述のごとく、シリンダー錠Ｌ１が機枠Ｆの右側枠部材４０の上端部側に位置しているので、シリンダー錠Ｌ１が上記遊技盤のうち最も大きい寸法部分（遊技盤の最大径部分）に対応する位置から外れることとなる。従って、シリンダー錠Ｌ１が遊技盤の盤面の拡大の邪魔になることもない。
【０１２０】
また、上述のごとく、施錠装置Ｌを機枠Ｆの右側枠部材に設けるようにしたので、機枠Ｆをそのまま遊技機ホールに設置する場合でも、当該施錠装置Ｌをそのまま使用できる。
【０１２１】
また、機枠Ｆの右側枠部材４０及び当該施錠装置Ｌが共に金属製であるから、リサイクルが容易である。
【０１２２】
なお、本発明の実施にあたっては、上記実施形態に限ることなく、以下のように種々の変形例が挙げられる。
（１）各変位レバー９０、１００、１１０、１２０、１３０は、長手状変位板８０の右側に限ることなく、左側に設けるようにしてもよい。
（２）本発明の実施にあたり、ベース部材４０である機枠Ｆの右側枠部材４０において、長手状右壁４０ａの前壁部４２のうち、両突起ｎ、ｐの各形成部分の間の部位、両突起ｐ、ｑの各形成部分の間の部位及び両突起ｑ、ｓの各形成部分の間の部位は、除去してもよい。また、各突起ｎ、ｐ、ｑ及びｓを長手状右壁４０ａの幅方向中央壁部４１の幅方向前縁部から左方へ突出形成させることで、上述の除去に代えて、前壁部４２のうち突起ｎから突起ｓまでの部位を除去するようにしてもよい。
（３）本発明の実施にあたり、前扉Ｄの係合レバー２２、２３の各頭部及び変位レバー９０、１２０の各爪片９２、１２２は、係合レバーと変位レバーとの間で互いに入れ代わって形成されていてもよい。また、前扉Ｄの各貫通部１４、１５、１６及び変位レバー１００、１１２、１３２の各爪片１０２、１１２、１３２は、前扉Ｄと変位レバーとの間で互いに入れ代わって形成されていてもよい。
（４）本発明は、パチンコ遊技機に限ることなく、アレンジボール遊技機、雀球遊技機或いは回胴式遊技機等の各種の遊技機に適用してもよい。
【図面の簡単な説明】
【０１２３】
【図１】本発明が適用されるパチンコ遊技機の一実施形態を示す斜視図である。
【図２】図１において前扉を開いた状態を示す斜視図である。
【図３】図１において前扉及び遊技機本体の状態を示す斜視図である。
【図４】上記実施形態における機枠の斜視図である。
【図５】図４の機枠の分解斜視図である。
【図６】（ａ）及び（ｂ）は、それぞれ、図５の施錠装置を左側及び右側からみたときの斜視図である。
【図７】上記実施形態における施錠装置の施錠状態における左側面図である。
【図８】上記実施形態における施錠装置の分解斜視図である。
【図９】上記実施形態における施錠装置の前扉を開くときの作動状態を示す左側面図である。
【図１０】上記実施形態における施錠装置の遊技機本体を開くときの作動状態を示す左側面図である。
【符号の説明】
【０１２４】
Ｂ…遊技機本体、Ｄ…前扉、Ｆ…機枠、Ｌ１…シリンダー錠、Ｌ２…錠機構、
ｎ、ｒ、ｐ、ｑ、ｓ、９１ｃ、１０１ｃ、１１１ｃ、１２１ｃ、１３１ｃ…突起、
１１、２１、４０…右側枠部材、
１２、１３、１４、１５、１６、４２ａ、４２ｂ、４２ｄ、４２ｆ、４２ｅ…貫通部、
２２、２３…係合レバー、
２２ａ、２３ａ、９２ｂ、１０２ｂ、１１２ｂ、１２２ｂ、１３２ｂ…頭部、
４１…右壁部、４２…前壁部、８０…長手状変位板、
９０、１００、１１０、１２０、１３０…変位レバー、
９１、１０１、１１１、１２１、１３１…基板、
９２、１０２、１１２、１２２、１３２…爪片、１５０…傾動部材、
１６０、１７０、１９０、２００、２１０…コイルスプリング。
【図１】
2008237635.tif 000003
【図２】
2008237635.tif 000004
【図３】
2008237635.tif 000005
【図４】
2008237635.tif 000006
【図５】
2008237635.tif 000007
【図６】
2008237635.tif 000008
【図７】
2008237635.tif 000009
【図８】
2008237635.tif 000010
【図９】
2008237635.tif 000011
【図１０】
2008237635.tif 000012